(57)【要約】【課題】電話番号を入力する際に、操作の容易さ、間違いの減少を実現する携帯電話用のキーボードを提供する。【解決手段】本発明による携帯端末用キーボードは、数字キーとして、第１の行に「１」、「２」、「３」の数字キーが配列され、第２の行に「４」、「５」、「６」の数字キーが配列され、第３の行に「７」、「８」、「９」の数字キーが配列され、第４の行に「＊」、「０」、「＃」の数字キー及び記号キーが配列されており、数字「０」を示す数字ゼロキーは、他のキーと触覚的に異なっている。【選択図】図１
2012027523.tif 000002
【特許請求の範囲】
【請求項１】
「０」から「９」までの数字キーを備えた携帯端末用のキーボードであって、
前記数字キーとして、第１の行に「１」、「２」、「３」の数字キーが配列され、第２の行に「４」、「５」、「６」の数字キーが配列され、第３の行に「７」、「８」、「９」の数字キーが配列され、第４の行に「＊」、「０」、「＃」の数字キー及び記号キーが配列されており、
数字「０」を示す数字ゼロキーは、他のキーと触覚的に異なっていることを特徴とする携帯端末用キーボード。
【請求項２】
前記数字ゼロキーの素材または表面粗さは、他のキーの素材または表面粗さと異なっていることを特徴とする請求項１に記載の携帯端末用キーボード。
【請求項３】
前記数字ゼロキーの少なくとも表面の素材はゴムであり、前記他のキーの少なくとも表面の素材は前記ゴムとは表面粗さと異なる素材であることを特徴とする請求項１または２に記載の携帯端末用キーボード。
【請求項４】
前記数字ゼロキーの少なくとも表面の素材はアクリルであり、他のキーの少なくとも表面の素材は前記アクリルとは表面粗さと異なる素材であることを特徴とする請求項１または２に記載の携帯端末用キーボード。
【請求項５】
前記数字ゼロキーの少なくとも表面の素材はアルミであり、前記他のキーの少なくとも表面の素材は前記アルミとは表面粗さと異なる素材であることを特徴とする請求項１または２に記載の携帯端末用キーボード。
【請求項６】
前記数字ゼロキーの少なくとも表面の素材は表面がざらざらした、または凹凸部のあるゴムであり、前記他のキーの少なくとも表面の素材は、表面が平滑なゴムであることを特徴とする請求項１または２に記載の携帯端末用キーボード。
【請求項７】
前記数字ゼロキーの少なくとも表面の素材は表面がざらざらした、または凹凸部のあるアクリルであり、前記他のキーの少なくとも表面の素材は、表面が平滑なアクリルであることを特徴とする請求項１または２に記載の携帯端末用キーボード。
【請求項８】
前記数字ゼロキーの少なくとも表面の素材は表面がざらざらした、または凹凸部のあるアルミであり、前記他のキーの少なくとも表面の素材は、表面が平滑なアルミであることを特徴とする請求項１または２に記載の携帯端末用キーボード。
【請求項９】
前記数字ゼロキーの少なくとも表面の素材は表面が平滑なゴムであり、前記他のキーの少なくとも表面の素材は、表面がざらざらした、または凹凸部のあるゴムであることを特徴とする請求項１または２に記載の携帯端末用キーボード。
【請求項１０】
前記数字ゼロキーの少なくとも表面の素材は表面が平滑なアクリルであり、前記他のキーの少なくとも表面の素材は、表面がざらざらした、または凹凸部のあるアクリルであることを特徴とする請求項１または２に記載の携帯端末用キーボード。
【請求項１１】
前記数字ゼロキーの少なくとも表面の素材は表面が平滑なアルミであり、前記他のキーの少なくとも表面の素材は、表面がざらざらした、または凹凸部のあるアルミであることを特徴とする請求項１または２に記載の携帯端末用キーボード。
【請求項１２】
前記数字ゼロキーの少なくとも表面の素材は、表面がざらざらした、あるいは、凹凸部のあるプラスチックであり、
前記他のキーの少なくとも表面の素材は、表面が平滑なプラスチックであることを特徴とする請求項１または２に記載の携帯端末用キーボード。
【請求項１３】
前記数字ゼロキーの少なくとも表面の素材は、表面が平滑なプラスチックであり、
前記他のキーの少なくとも表面の素材は、表面がざらざらした、あるいは、凹凸部のあるプラスチックであることを特徴とする請求項１または２に記載の携帯端末用キーボード。
【請求項１４】
前記ざらざらは、紙ヤスリで＃３００以上であることを特徴とする請求項６または７に記載の携帯端末用キーボード。
【発明の詳細な説明】
【技術分野】
【０００１】
本発明は、携帯電話用のキーボードに関する。より詳細には、操作性を重視した携帯電話用のキーボードに関する。
【背景技術】
【０００２】
現在、携帯電話の普及は目覚ましく、老若男女問わず広い世代にわたって使用されるようになってきており、高齢者、年少者、障害者等にも使用されている。それに伴い、高齢者、年少者、障害者等の特定の層に対する携帯電話が検討されてきた。
【０００３】
例えば、特許文献１では、視覚障害者用の携帯電話を開示している。本携帯電話は、１角部だけが異なる形状をしており、利用者は即座に１角部を認識することができるため、携帯電話の向きを認識することができる。また、受話（通話）ボタンが１角部に配されているため、即座に受話（通話）ボタンを押して電話に出ることができる。
【０００４】
また、視覚障害者にとって不要な機能やボタン、又はディスプレイを構成しないことにより、携帯電話寸法に占める操作ボタンの割合を通常の携帯電話より大きくすることができる。そのため、操作ボタンを大きくすることができ、その操作ボタンの表面に点字を表示するスペースを作ることができ、その結果、視覚障害者が操作ボタンを誤操作することが少なくなり、操作性を格段に向上させることができる。
【０００５】
また、高齢者向けの携帯電話では、表示類（ボタン、文字サイズ等）を大きくして見やすくしたり、複雑な操作が必要な機能を搭載せずに基本の機能に絞ったりした携帯電話が使用されている。
【０００６】
また、従来の携帯電話では、数字「５」キーにマークを付け、数字「５」キーが障害者でも認識できるようになっている。すなわち、電話機の数字キーの配列は、一番上の行に「１」、「２」、「３」の数字キー、その下の行に「４」、「５」、「６」の数字キー、その下の行に「７」、「８」、「９」の数字キー、一番下の行に、「＊」、「０」、「＃」の数字キー及び記号キーとなっている。
【０００７】
この配列は、固定電話でも携帯電話端末でも同じである。したがって、これらの数字キーの中から、重要な１つのキーが認識できれば、残りの数字キーの位置は、そのキーの位置から辿ることができる。数字「５」キーは、このような数字キーの中のほぼ中心に位置する。そこで、数字「５」キーを、他の数字キーを探すための手がかりとなる重要なキーとして、マークを付けている。
【先行技術文献】
【特許文献】
【０００８】
【特許文献１】特開２００８−２５２７０３号公報
【発明の概要】
【発明が解決しようとする課題】
【０００９】
上述のように、従来では、数字「５」キーに、重要なキーとしてマークを付けている。これは、数字キーのほぼ中心になる位置に数字「５」キーが配置されているからである。しかしながら、電話番号を入力する際の利用頻度を考慮すると、より重要度が高い数字キーがある。例えば、日本では、市外局番は必ず「０」から始まる。また、携帯電話を示す「０９０」や「０８０」、国際電話を示す「００１」等、殆どの電話番号の最初の番号として「０」の数字キーが押される。電話番号の入力を考慮すると、「０」の数字キーが重要度の高いキーであると考えられる。
【００１０】
従って、本発明は、上述の課題に鑑みてなされたものであり、電話番号を入力する際に重要度の高い「０」の数字キーを容易に識別でき、操作性の向上を図ることができるようにした携帯電話用のキーボードを提供することを目的とする。
【課題を解決するための手段】
【００１１】
本発明は、上述の課題を鑑みて、以下の事項を提案している。なお、理解を容易にするために、本発明の実施形態に対応する符号を付して説明するが、これに限定されるものではない。
【００１２】
（１）本発明による携帯端末用キーボードは、「０」から「９」までの数字キーを備えた携帯端末用のキーボードであって、数字キーとして、第１の行に「１」、「２」、「３」の数字キーが配列され、第２の行に「４」、「５」、「６」の数字キーが配列され、第３の行に「７」、「８」、「９」の数字キーが配列され、第４の行に「＊」、「０」、「＃」の数字キー及び記号キーが配列されており、数字「０」を示す数字ゼロキー（例えば、図１のＤに相当）は、他のキー（例えば、図１のＡ、Ｂ、Ｃに相当）と触覚的に異なっていることを特徴とする。
【００１３】
本発明によれば、電話番号を入力する際に必ず最初に操作することになる数字ゼロキーＤが他のキーと触覚的に異なっているので、電話番号入力の操作性が向上する。また、視覚障害者や、高齢者にとっても、操作がし易くなる。
【００１４】
（２）本発明は、（１）の携帯端末用キーボードにおいて、前記数字ゼロキー（例えば、図１のＤに相当）の素材または表面粗さは、前記他のキー（例えば、図１のＡ、Ｂ、Ｃに相当）の素材または表面粗さと異なっていることを特徴とする。
【００１５】
本発明によれば、数字ゼロキーの素材または表面粗さを他のキーの素材または表面粗さと異なるようにすることで、数字ゼロキーと他のキーとを触覚的に区別することができる。
【００１６】
（３）本発明は、（１）又は（２）の携帯端末用キーボードにおいて、前記数字ゼロキー（例えば、図１のＤに相当）の少なくとも表面の素材はゴムであり、前記他のキー（例えば、図１のＡ、Ｂ、Ｃに相当）の少なくとも表面の素材は前記ゴムとは表面粗さと異なる素材であることを特徴とする。
【００１７】
本発明によれば、数字ゼロキーの少なくとも表面の素材をゴムとし、他のキーの少なくとも表面の素材をゴムとは表面粗さと異なる素材とすることで、数字ゼロキーと他のキーとを触覚的に区別することができる。
【００１８】
（４）本発明は、（１）又は（２）の携帯端末用キーボードにおいて、前記数字ゼロキー（例えば、図１のＤに相当）の少なくとも表面の素材はアクリルであり、他のキー（例えば、図１のＡ、Ｂ、Ｃに相当）の少なくとも表面の素材は前記アクリルとは表面粗さと異なる素材であることを特徴とする数字ゼロキーの素材はアクリルであり、他のキーの素材はプラスチックであることを特徴とする。
【００１９】
本発明によれば、数字ゼロキーの少なくとも表面の素材をアクリルとし、他のキーの少なくとも表面の素材をアクリルとは表面粗さと異なる素材とすることで、数字ゼロキーと他のキーとを触覚的に区別することができる。
【００２０】
（５）本発明は、（１）又は（２）の携帯端末用キーボードにおいて、前記数字ゼロキー（例えば、図１のＤに相当）の少なくとも表面の素材はアルミであり、前記他のキー（例えば、図１のＡ、Ｂ、Ｃに相当）の少なくとも表面の素材は前記アルミとは表面粗さと異なる素材であることを特徴とする。
【００２１】
本発明によれば、数字ゼロキーの少なくとも表面の素材をアルミとし、他のキーの少なくとも表面の素材をアルミとは表面粗さと異なる素材とすることで、数字ゼロキーと他のキーとを触覚的に区別することができる。
【００２２】
（６）本発明は、（１）又は（２）の携帯端末用キーボードにおいて、前記数字ゼロキー（例えば、図１のＤに相当）の少なくとも表面の素材は表面がざらざらした、または凹凸部のあるゴムであり、前記他のキー（例えば、図１のＡ、Ｂ、Ｃに相当）の少なくとも表面の素材は、表面が平滑なゴムであることを特徴とする。
【００２３】
本発明によれば、数字ゼロキーの少なくとも表面の素材を表面がざらざらした、または凹凸部のあるゴムとし、他のキーの少なくとも表面の素材は、表面が平滑なゴムとすることで、数字ゼロキーと他のキーとを触覚的に区別することができる。
【００２４】
（７）本発明は、（１）又は（２）の携帯端末用キーボードにおいて、前記数字ゼロキー（例えば、図１のＤに相当）の少なくとも表面の素材は表面がざらざらした、または凹凸部のあるアクリルであり、前記他のキー（例えば、図１のＡ、Ｂ、Ｃに相当）の少なくとも表面の素材は、表面が平滑なアクリルであることを特徴とする。
【００２５】
本発明によれば、数字ゼロキーの少なくとも表面の素材を表面がざらざらした、または凹凸部のあるアクリルとし、他のキーの少なくとも表面の素材を表面が平滑なアクリルとすることで、数字ゼロキーと他のキーとを触覚的に区別することができる。
【００２６】
（８）本発明は、（１）又は（２）の携帯端末用キーボードにおいて、前記数字ゼロキー（例えば、図１のＤに相当）の少なくとも表面の素材は表面がざらざらした、または凹凸部のあるアルミであり、前記他のキー（例えば、図１のＡ、Ｂ、Ｃに相当）の少なくとも表面の素材は、表面が平滑なアルミであることを特徴とする。
【００２７】
本発明によれば、数字ゼロキーの少なくとも表面の素材を表面がざらざらした、または凹凸部のあるアルミとし、他のキーの少なくとも表面の素材を表面が平滑なアルミとすることで、数字ゼロキーと他のキーとを触覚的に区別することができる。
【００２８】
（９）本発明は、（１）又は（２）の携帯端末用キーボードにおいて、前記数字ゼロキー（例えば、図１のＤに相当）の少なくとも表面の素材は表面が平滑なゴムであり、前記他のキー（例えば、図１のＡ、Ｂ、Ｃに相当）の少なくとも表面の素材は、表面がざらざらした、または凹凸部のあるゴムであることを特徴とする。
【００２９】
本発明によれば、数字ゼロキーの少なくとも表面の素材を表面が平滑なゴムとし、他のキーの少なくとも表面の素材を表面がざらざらした、または凹凸部のあるゴムとすることで、数字ゼロキーと他のキーとを触覚的に区別することができる。
【００３０】
（１０）本発明は、（１）又は（２）の携帯端末用キーボードにおいて、前記数字ゼロキー（例えば、図１のＤに相当）の少なくとも表面の素材は表面が平滑なアクリルであり、前記他のキー（例えば、図１のＡ、Ｂ、Ｃに相当）の少なくとも表面の素材は、表面がざらざらした、または凹凸部のあるアクリルであることを特徴とする。
【００３１】
本発明によれば、数字ゼロキーの少なくとも表面の素材を表面が平滑なアクリルとし、他のキーの少なくとも表面の素材を表面がざらざらした、または凹凸部のあるアクリルとすることで、数字ゼロキーと他のキーとを触覚的に区別することができる。
【００３２】
（１１）本発明は、（１）又は（２）の携帯端末用キーボードにおいて、前記数字ゼロキー（例えば、図１のＤに相当）の少なくとも表面の素材は表面が平滑なアルミであり、前記他のキー（例えば、図１のＡ、Ｂ、Ｃに相当）の少なくとも表面の素材は、表面がざらざらした、または凹凸部のあるアルミであることを特徴とする。
【００３３】
本発明によれば、数字ゼロキーの少なくとも表面の素材を表面が平滑なアルミとし、他のキーの少なくとも表面の素材を表面がざらざらした、または凹凸部のあるアルミとすることで、数字ゼロキーと他のキーとを触覚的に区別することができる。
【００３４】
（１２）本発明は、（１）又は（２）の携帯端末用キーボードにおいて、前記数字ゼロキー（例えば、図１のＤに相当）の少なくとも表面の素材は、表面がざらざらした、あるいは、凹凸部のあるプラスチックであり、前記他のキー（例えば、図１のＡ、Ｂ、Ｃに相当）の少なくとも表面の素材は、表面が平滑なプラスチックであることを特徴とする。
【００３５】
本発明によれば、数字ゼロキーの少なくとも表面の素材を表面がざらざらしたプラスチックとし、他のキーの少なくとも表面の素材を表面が平滑なプラスチックとすることで、数字ゼロキーと他のキーとを触覚的に区別することができる。
【００３６】
（１３）本発明は、（１）又は（２）の携帯端末用キーボードにおいて、前記数字ゼロキーの少なくとも表面の素材は、表面が平滑なプラスチックであり、前記他のキーの少なくとも表面の素材は、表面がざらざらした、あるいは、凹凸部のあるプラスチックであることを特徴とする。
【００３７】
本発明によれば、数字ゼロキーの少なくとも表面の素材を表面が平滑なプラスチックとし、他のキーの少なくとも表面の素材を表面がざらざらした、あるいは、凹凸部のあるプラスチックとすることで、数字ゼロキーと他のキーとを触覚的に区別することができる。
【００３８】
（１４）本発明は、（６）又は（７）の携帯端末用キーボードにおいて、ざらざらは、紙ヤスリで＃３００以上であることを特徴とする。
【００３９】
本発明によれば、数字ゼロキーに＃３００以上の紙ヤスリでキズを付けることで、数字ゼロキーと他のキーとを触覚的に区別することができる。
【発明の効果】
【００４０】
本発明によれば、電話番号を入力する際に必ず最初に操作することになる数字ゼロキーＤが他のキーと触覚的に異なっているので、電話番号入力の操作性が向上する。また、視覚障害者や、高齢者にとっても、操作がし易くなる。
【図面の簡単な説明】
【００４１】
【図１】本発明による携帯電話用キーボードの例を示す図である。
【図２】指先無毛部の４つの機械受容器を示す図である。
【図３】マイスナー小体とパチーニ小体の加齢による触覚受容能力の変化を示す図である。
【発明を実施するための形態】
【００４２】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４３】
図１は、本発明による携帯電話用キーボードの一例を示す。図１において、携帯電話用キーボード１は、決定キーＡ、通話キーＢ、終話キーＣおよび「０」〜「９」までの数字キーを少なくとも備える。
【００４４】
ここで、決定キーＡは、携帯電話のディスプレイ（図示せず）に表示され、十字キーによって選択された項目を決定するためのキーであり、通話キーＢは、通話を開始するときに押下するキーであり、終話キーＣは通話を終了するときに押下するキーであり、数字キーは数字を入力するためのキーである。
【００４５】
数字キーは、一番上の行に「１」、「２」、「３」の数字キー、その下の行に「４」、「５」、「６」の数字キー、その下の行に「７」、「８」、「９」の数字キー、一番下の行に、「＊」、「０」、「＃」の数字キー及び記号キーが配列されている。
【００４６】
この数字キーの中で、特に、数字「０」を入力するための数字ゼロキーＤは、電話番号で最初に押されるため、重要度の高いキーと考えられる。すなわち、日本では、市外局番は必ず「０」から始まる。また、携帯電話を示す「０９０」や「０８０」、国際電話を示す「００１」等、殆どの電話番号の最初の番号として押される。
【００４７】
本発明の実施形態では、重要度の高い数字ゼロキーＤは、他のキーと触覚的に区別できるようになっている。これにより、ユーザは、電話番号で最初に押すキーを簡単に認識でき、この数字ゼロキーＤの配置から、他の数字キーを探すことができ、操作性を高めることができる。
【００４８】
ここで、数字ゼロキーＤを他のキーと触覚的に区別できるようにするとは、キーの素材または表面粗さを他のキーと異なるものとして、手の触覚として重要なキーを認識できるようにすることを意味する。
【００４９】
＜第１の実施例＞
第１の実施例では、数字ゼロキーＤの少なくとも表面をゴム素材（または、類似の手触りのもの）、他のキーの少なくとも表面をプラスチック素材とする。さらに操作者にしっかりしたクリック感を与える。また、数字ゼロキーＤをゴム素材とすることで、抵抗感（滑りにくさ）による弁別のしやすさにより他のキーとの弁別が容易になる。
【００５０】
さらに操作者にやさしさや暖かさという感じを与える。なお、ゴム素材（または、類似の手触りのもの）の場合、文字をゴム素材（または、類似の手触りのもの）で印字することで、同様の効果が得られる。また、本実施例では、ゴムとプラスチックを例示したが、これに限らず、数字ゼロキーをゴム素材とした場合には、他のキーにゴム素材とは表面粗さが異なる素材を用いてもよい。また、同じ素材を用いてもよく、例えば、数字ゼロキーの少なくとも表面の素材を表面がざらざらした、または凹凸部のあるゴムとし、他のキーの少なくとも表面の素材は、表面が平滑なゴムとする、または、数字ゼロキーの少なくとも表面の素材を表面が平滑なゴムとし、他のキーの少なくとも表面の素材を表面がざらざらした、または凹凸部のあるゴムとしてもよい。
【００５１】
＜第２の実施例＞
第２の実施例では、数字ゼロキーＤの少なくとも表面をアルミ素材、他のキーの少なくとも表面をプラスチック素材とする。数字ゼロキーＤキーをアルミ素材とすることで、滑りにくさ、弁別のしやすさを実現できる。アルミ素材の場合、表面を、鏡面、シボ（ざらざら）、溝とすることで、さらに弁別を容易にできる。アルミ素材は、金属材料であり、熱伝導の高さより最初冷たさを感じ、他のプラスチック素材のキーと区別がしやすい。
【００５２】
また、本実施例では、アルミとプラスチックを例示したが、これに限らず、数字ゼロキーをアルミ素材とした場合には、他のキーにアルミ素材とは表面粗さが異なる素材を用いてもよい。また、同じ素材を用いてもよく、例えば、数字ゼロキーの少なくとも表面の素材を表面がざらざらした、または凹凸部のあるアルミとし、他のキーの少なくとも表面の素材は、表面が平滑なアルミとする、または、数字ゼロキーの少なくとも表面の素材を表面が平滑なアルミとし、他のキーの少なくとも表面の素材を表面がざらざらした、または凹凸部のあるアルミとしてもよい。
【００５３】
＜第３の実施例＞
第３の実施例では、数字ゼロキーＤの少なくとも表面を、表面にざらざらした加工を加えたプラスチック素材とする。他のキーの少なくとも表面は、平滑なプラスチック素材とする。数字ゼロキーＤの表面をざらざらさせることで、滑りにくさ、弁別のしやすさを実現できる。また、粗すぎると指が動かしづらくなるため、アルミおよびプラスチックのざらざら感は、紙やすりで＃３００以上の「目」の粗さが望ましい。なお、数字ゼロキーの少なくとも表面の素材を表面が平滑なプラスチックとし、他のキーの少なくとも表面の素材を表面がざらざらした、あるいは、凹凸部のあるプラスチックとしてもよい。この場合にも、数字ゼロキーと他のキーとを触覚的に区別することができる。
【００５４】
このように、数字ゼロキーＤを手の触覚で認識できるようにすると、視覚障害者にとって電話番号入力の操作がし易くなる。また、高齢者は、加齢により視覚や聴力が衰えてくるが、触覚の衰えは、これに比べて顕著ではない。よって、数字ゼロキーＤを手の触覚で認識できれば、視覚能力の低下を、手の指の触覚で補える。このため、高齢者にとっても、操作がし易くなる。
【００５５】
図２は、指先無毛部の４つの機械受容器を示す。図２によると、指先にはメルケル細胞、マイスナー小体、ルフィニ小体およびパチーニ小体の４つの機械受容器がある。ここで、メルケル細胞は縦圧力の検出を行い、マイスナー小体はパタン認識と点字の触読を行い、ルフィニ小体は横圧力、すべりおよびずれの検出を行い、パチーニ小体は振動、ザラザラ・荒さ感の検出を行っている。
【００５６】
図３は、マイスナー小体とパチーニ小体の加齢による触覚受容能力の変化を示す。図３によるとマイスナー小体の密度は加齢により低下し、それに伴い触覚の平均閾値は加齢により大きくなっていくことが分かる。一方、パチーニ小体の方は、足指（第１指）の振動感覚閾値は、加齢により増加するが、人差し指の振動感覚閾値は、加齢による影響をほとんど受けないことが分かる。従って、パチーニ小体が検出するザラザラ・荒さ感、つまり、触覚の材質識別能力は加齢による影響をあまり受けないことが分かる。
【００５７】
以上のように、手の触覚は、加齢による低下は殆どなく、加齢により低下した視覚は、触覚で補うことができる。よって、数字ゼロキーＤを手の触覚で認識できれば、高齢者にとっても、操作がし易くなる。
【００５８】
なお、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。例えば、上記実施例では、数字ゼロキーの少なくとも表面がゴム、アルミ、プラスチックである場合を例示したが、例えば、数字ゼロキーの少なくとも表面の素材を表面がざらざらした、または凹凸部のあるアクリルとし、他のキーの少なくとも表面の素材を表面が平滑なアクリルとする、あるいは、数字ゼロキーの少なくとも表面の素材を表面が平滑なアクリルとし、他のキーの少なくとも表面の素材を表面がざらざらした、または凹凸部のあるアクリルとしてもよい。
【符号の説明】
【００５９】
１：携帯電話用キーボード
Ａ：決定キー
Ｂ：通話キー
Ｃ：終話キー
Ｄ：数字ゼロキー
【図１】
2012027523.tif 000003
【図２】
2012027523.tif 000004
【図３】
2012027523.tif 000005